(57)【要約】【課題】ラベル製品の反りの方向性を積極的に制御することができ、ラベルの手貼り作業や機械貼りに応じて好適な反りのあるラベル製品を意図的に製造できるラミネート装置、およびラベル印刷機を提供する。【解決手段】ラベル製品１０の反りの方向性を積極的に制御するため、ラミネート装置１４に反り制御手段２７が設けられている。当該反り制御手段２７は、ラミネートローラ１５と圧胴ローラ１６のそれぞれの軸芯１５−１、１６−１をラベル原反Ｈの搬送方向に相対的にずらすことにより、ラベル原反Ｈとラミネートフイルム８の貼り合わせ品から得られるラベル製品１０の反りの方向を制御する。【選択図】図２
2006213035.tif 000002
【特許請求の範囲】
【請求項１】
搬送方向に沿って搬送される帯状のラベル原反と帯状のラミネートフイルムとを、ラミネートローラと圧胴ローラとの間に挟み込んで貼り合わせる構造のラミネート装置において、
上記ラミネートローラと圧胴ローラのそれぞれの軸芯を上記ラベル原反の搬送方向に相対的にずらすことにより、上記ラベル原反と上記ラミネートフイルムの貼り合わせ品から得られるラベル製品の反りの方向を制御する反り制御手段を設けたこと
を特徴とするラミネート装置。
【請求項２】
搬送方向に沿って搬送される帯状のラベル原反と帯状のラミネートフイルムとを、ラミネートローラと圧胴ローラとの間に挟み込んで貼り合わせるのにあたり、上記圧胴ローラ側に上記ラベル原反が接し、上記ラミネートローラ側に上記ラミネートフイルムが接するようにしてそれらを挟み込んで貼り合わせる構造のラミネート装置において、
上記ラベル製品の反りを内反りとする場合は、上記ラミネートローラの軸芯と上記圧胴ローラの軸芯を結ぶ線分が上記圧胴ローラの軸芯を基準に上記ラベル原反の搬送方向上流側に傾くように、上記ラミネートローラの軸芯を上記圧胴ローラの外周に沿ってずらし、一方、上記ラベルの反りを外反りとする場合には、上記両軸芯を結ぶ線分が上記圧胴ローラの軸芯を基準に上記ラベル原反の搬送方向下流側に傾くように、上記ラミネートローラの軸芯を上記圧胴ローラの外周に沿ってずらすこと
を特徴とするラミネート装置。
【請求項３】
上記帯状のラミネートフイルムを上記帯状のラベル原反と同等の張力に調整する張力調整手段を具備すること
を特徴とする請求項１または２のいずれかに記載のラミネート装置。
【請求項４】
帯状のラベル原反の搬送方向上流から下流に向かって順に、印刷ステージ、ラミネートステージを有し、上記印刷ステージには、上記帯状のラベル原反の表面に印刷を行う印刷手段が設けられ、上記ラミネートステージには、上記印刷ステージから繰り出された印刷後の帯状のラベル原反の印刷面に帯状のラミネートフイルムを貼り合わせるラミネート装置が設けられるラベル印刷機において、
上記ラミネート装置は、
上記帯状のラベル原反と上記帯状のラミネートフイルムとを、ラミネートローラと圧胴ローラとの間に挟み込んで貼り合わせる構造であって、
上記ラミネートローラと圧胴ローラのそれぞれの軸芯を上記ラベル原反の搬送方向に相対的にずらすことにより、上記ラベル原反と上記ラミネートフイルムの貼り合わせ品から得られるラベル製品の反りの方向を制御する反り制御手段を具備すること
を特徴とするラベル印刷機。
【請求項５】
帯状のラベル原反の搬送方向上流から下流に向かって順に、印刷ステージ、ラミネートステージを有し、上記印刷ステージには、上記帯状のラベル原反の表面に印刷を行う印刷手段が設けられ、上記ラミネートステージには、上記印刷ステージから繰り出された印刷後の帯状のラベル原反の印刷面に帯状のラミネートフイルムを貼り合わせるラミネート装置が設けられるラベル印刷機において、
上記ラミネート装置は、
上記帯状のラベル原反と上記帯状のラミネートフイルムとを、ラミネートローラと圧胴ローラとの間に挟み込んで貼り合わせるのにあたり、上記圧胴ローラ側に上記ラベル原反が接し、上記ラミネートローラ側に上記ラミネートフイルムが接するようにしてそれらを挟み込んで貼り合わせる構造のラミネート装置において、
上記ラベル製品の反りを内反りとする場合は、上記ラミネートローラの軸芯と上記圧胴ローラの軸芯を結ぶ線分が上記圧胴ローラの軸芯を基準に上記ラベル原反の搬送方向上流側に傾くように、上記ラミネートローラの軸芯を上記圧胴ローラの外周に沿ってずらし、一方、上記ラベル製品の反りを外反りとする場合には、上記両軸芯を結ぶ線分が上記圧胴ローラの軸芯を基準に上記ラベル原反の搬送方向下流側に傾くように、上記ラミネートローラの軸芯を上記圧胴ローラの外周に沿ってずらすこと
を特徴とする請求項４に記載のラベル印刷機。
【請求項６】
上記帯状のラミネートフイルムを上記帯状のラベル原反と同等の張力に調整する張力調整手段を具備すること
を特徴とする請求項４または５のいずれかに記載のラベル印刷機。
【発明の詳細な説明】
【技術分野】
【０００１】
本発明は、帯状のラベル原反に帯状のラミネートフイルムを貼り合わせるラミネート装置と、このラミネート装置を具備するラベル印刷機に関する。
【背景技術】
【０００２】
従来より、帯状のラベル原反に所定の印刷を行うラベル印刷機において、ラベルの印刷面を保護するために、その製造過程で印刷後の前記ラベル原反に帯状のラミネートフイルムを貼り合わせることが行われている。この貼り合わせの際に、前記ラミネートフイルムに強い張力（テンション）が加わった状態でラベル原反に貼り付けられると、ラミネートフイルムが元の状態に戻ろうとして収縮することから、最終製品としてのラベルに反りが発生する（例えば、特許文献１の段落０００５参照）。このため、従来は、かかるラベルの反りを防止するために、帯状のラミネートフイルムと帯状のラベル原反の張力とが同等になるように調整している。しかし、その調整は難しく、ラベルの反りをなくすことは困難であり、いずれの方向にラベルが反るのか、ラベルの反りの方向性をあらかじめ予想することや、その反りの方向性を制御することはできない。また、そのラベルの反りは、意図的に形成されるものでなく、上記のような張力調整の不備から偶発的に生じるものだからである。
【０００３】
ところで、この種のラベルは最終的に商品等の被着体に貼り付けて使用されるが、ラベルの貼り付け方式によっては当該ラベルの反りが効果的に作用することがある。
【０００４】
例えば、図５のようにラベル製品１０の粘着剤層５の面を内側にしてラベル製品１０全体が反る、いわゆる内反りのラベル製品１０は、該ラベル製品１０を機械で貼り付ける場合（機械貼り）に都合がよい。
【０００５】
また、図６のように、内反りとは反対の方向にラベル製品１０全体が反っている、いわゆる外反りのラベル製品１０は、該ラベル製品１０を手作業で貼り付ける作業（手貼り作業）に都合がよい。
【０００６】
図７は機械貼りの一例の説明図であり、（ａ）は内反りのラベル製品１０を機械貼りするときの状態の説明図、（ｂ）は外反りのラベル製品１０を機械貼りするときの状態の説明図である。同図のように、機械貼りの場合は、ピールプレート４０での鋭角な折り曲げにより剥離紙６からラベル製品１０を剥離し、次にその表面から吸着グリッド４１で吸引して被着体（図示省略）に貼り付ける。このため、いわゆる外反りのラベル製品（図６参照）であると、所定のラベル形状にダイカットする時に発生するラベル製品１０の端部及び表面への糊の転移により、図７（ｂ）に示したようにラベル製品１０が吸着グリッド４１に貼り付く吸着エラーが生じやすい。このため、機械貼りの場合は、図５に示すような内反りのラベル製品１０が好ましい。
【０００７】
図８は手貼り作業の一例の説明図であり、（ａ）は外反りのラベル製品１０を手貼りするときの状態の説明図、（ｂ）は内反りのラベル製品１０を手貼りするときの状態の説明図である。手貼りの場合には、図８（ａ）に示したように、ラベル製品１０をその端部から被着体４２に貼り付けていく方が貼り付けやすい。一方、内反りのラベル製品１０では、図８（ｂ）のように、その両端が最初に被着体に貼り付いてしまい、ラベル製品１０の中央部が最後に被着体に貼り付くことから、気泡やしわが生じやすい。このため、手貼りの場合は、図６に示すような外反りのラベル製品１０が好ましい。
【０００８】
【特許文献１】特開平４−２７２８３７号公報
【発明の開示】
【発明が解決しようとする課題】
【０００９】
本発明は上述の事情に鑑みてなされたものであり、その目的とするところは、ラベル製品の反りの方向性を積極的に制御することができ、ラベル製品の機械貼りや手貼り作業に応じて好適な反りのあるラベル製品を意図的に製造できるラミネート装置、およびラベル印刷機を提供することである。
【課題を解決するための手段】
【００１０】
上記目的を達成するために、本発明のラミネート装置は、搬送方向に沿って搬送される帯状のラベル原反と帯状のラミネートフイルムとを、ラミネートローラと圧胴ローラとの間に挟み込んで貼り合わせる構造のラミネート装置において、上記ラミネートローラと圧胴ローラのそれぞれの軸芯を上記ラベル原反の搬送方向に相対的にずらすことにより、上記ラベル原反と上記ラミネートフイルムの貼り合わせ品から得られるラベル製品の反りの方向を制御する反り制御手段を設けたことを特徴とする。
【００１１】
また、本発明のラミネート装置は、搬送方向に沿って搬送される帯状のラベル原反と帯状のラミネートフイルムとを、ラミネートローラと圧胴ローラとの間に挟み込んで貼り合わせるのにあたり、上記圧胴ローラ側に上記ラベル原反が接し、上記ラミネートローラ側に上記ラミネートフイルムが接するようにしてそれらを挟み込んで貼り合わせる構造のラミネート装置において、上記ラベル製品の反りを内反りとする場合は、上記ラミネートローラの軸芯と上記圧胴ローラの軸芯を結ぶ線分が上記圧胴ローラの軸芯を基準に上記ラベル原反の搬送方向上流側に傾くように、上記ラミネートローラの軸芯を上記圧胴ローラの外周に沿ってずらし、一方、上記ラベルの反りを外反りとする場合には、上記両軸芯を結ぶ線分が上記圧胴ローラの軸芯を基準に上記ラベル原反の搬送方向下流側に傾くように、上記ラミネートローラの軸芯を上記圧胴ローラの外周に沿ってずらすことを特徴とする。
【００１２】
上記本発明のラミネート装置は、上記帯状のラミネートフイルムを上記帯状のラベル原反と同等の張力に調整する張力調整手段を具備するものであってよい。
【００１３】
上記目的を達成するために、本発明のラベル印刷機は、帯状のラベル原反の搬送方向上流から下流に向かって順に、印刷ステージ、ラミネートステージを有し、上記印刷ステージには、上記帯状のラベル原反の表面に印刷を行う印刷手段が設けられ、上記ラミネートステージには、上記印刷ステージから繰り出された印刷後の帯状のラベル原反の印刷面に帯状のラミネートフイルムを貼り合わせるラミネート装置が設けられるラベル印刷機において、上記ラミネート装置は、上記帯状のラベル原反と上記帯状のラミネートフイルムとを、ラミネートローラと圧胴ローラとの間に挟み込んで貼り合わせる構造であって、上記ラミネートローラと圧胴ローラのそれぞれの軸芯を上記ラベル原反の搬送方向に相対的にずらすことにより、上記ラベル原反と上記ラミネートフイルムの貼り合わせ品から得られるラベル製品の反りの方向を制御する反り制御手段を具備することを特徴とする。
【００１４】
また、本発明のラベル印刷機は、帯状のラベル原反の搬送方向上流から下流に向かって順に、印刷ステージ、ラミネートステージを有し、上記印刷ステージには、上記帯状のラベル原反の表面に印刷を行う印刷手段が設けられ、上記ラミネートステージには、上記印刷ステージから繰り出された印刷後の帯状のラベル原反の印刷面に帯状のラミネートフイルムを貼り合わせるラミネート装置が設けられるラベル印刷機において、上記ラミネート装置は、上記帯状のラベル原反と上記帯状のラミネートフイルムとを、ラミネートローラと圧胴ローラとの間に挟み込んで貼り合わせるのにあたり、上記圧胴ローラ側に上記ラベル原反が接し、上記ラミネートローラ側に上記ラミネートフイルムが接するようにしてそれらを挟み込んで貼り合わせる構造のラミネート装置において、上記ラベル製品の反りを内反りとする場合は、上記ラミネートローラの軸芯と上記圧胴ローラの軸芯を結ぶ線分が上記圧胴ローラの軸芯を基準に上記ラベル原反の搬送方向上流側に傾くように、上記ラミネートローラの軸芯を上記圧胴ローラの外周に沿ってずらし、一方、上記ラベル製品の反りを外反りとする場合には、上記両軸芯を結ぶ線分が上記圧胴ローラの軸芯を基準に上記ラベル原反の搬送方向下流側に傾くように、上記ラミネートローラの軸芯を上記圧胴ローラの外周に沿ってずらすことを特徴とする。
【００１５】
上記本発明のラベル印刷機は、上記帯状のラミネートフイルムを上記帯状のラベル原反と同等の張力に調整する張力調整手段を具備するものであってよい。
【００１６】
本発明のラミネート装置およびラベル印刷機では、ラベル製品の反りの方向性を制御するための基本的な考え方として、まず、その制御の体制を整えるため、帯状のラミネートフイルムの張力と帯状のラベル原反の張力を同等に調整するとよい。この調整はあくまでもラベルの反りの方向性を制御するための体制を整備するものであるから、反りの方向性の制御に支障が生じない程度で行えば足り、厳密な調整は必要でない。そして、上記のように整備された制御体制下で、積極的にラベルに反りを形成する。この意図的に設けられるラベルの反りは、ラミネートローラと圧胴ローラのそれぞれの軸芯を相対的にずらすことにより形成される。例えば、内反りのラベル製品を得たい場合は、ラミネートローラの軸芯と圧胴ローラの軸芯を結ぶ線分が上記圧胴ローラの軸芯を基準に上記搬送方向上流側に傾くように、両軸芯を相対的にずらす。一方、外反りのラベル製品を得たい場合は、上記両軸芯を結ぶ線分が上記圧胴ローラの軸芯を基準に上記搬送方向下流側に傾くように、上記ラミネートローラの軸芯を圧胴ローラの外周方向にずらせばよい。
【発明の効果】
【００１７】
本発明によると、ラミネートローラと圧胴ローラのそれぞれの軸芯を相対的にずらすことにより、ラベル原反とラミネートフイルムの貼り合わせ品から得られるラベル製品の反りの方向が制御される構成を採用したため、当該ラベル製品の反りの方向性を積極的に制御することが可能となり、ラベル製品の機械貼りや手貼り作業に応じて好適な反りのあるラベル製品を意図的に製造することができる。
【発明を実施するための最良の形態】
【００１８】
以下、本発明を実施するための最良の形態について、添付した図面を参照しながら詳細に説明する。
【００１９】
図１は、本発明のラミネート装置を適用したラベル印刷機の概要の説明図、図２は、図１のラベル印刷機に適用されているラミネート装置等の斜視図、図３は、図１のラベル印刷機の各ステージを通過するラベル原反、ラミネートフイルム、または、ラベル原反とラミネートフイルムの貼り合わせ品の状態を示した説明図、図４は、図１のラベル印刷機に適用されているラミネート装置の動作説明図である。
【００２０】
図１のラベル印刷機１は、繰り出しローラ部２と巻き取りローラ部３とにより、その繰り出しローラ部２から巻き取りローラ部３の方向へ帯状のラベル原反Ｈを搬送するように構成されている。従って、同図のラベル印刷機１においては、繰り出しローラ部２側から巻き取りローラ部３側へ向かう方向が、帯状のラベル原反Ｈの搬送方向Ｌとなる。
【００２１】
帯状のラベル原反Ｈは、粘着剤層５を介してラベル基材４が剥離紙６に仮着され（図３（ａ）参照）、この状態でロール状に巻き取られている。本実施形態では、そのラベル原反Ｈのロール（以下「ラベル原反ロール７」という）を繰り出しローラ部２の前方にセットし、このセットしたラベル原反ロール７からラベル原反Ｈを引き出して繰り出しローラ部２に供給するものとしている。
【００２２】
繰り出しローラ部２は、図示しないモータによって駆動される駆動ローラ２−２と、ラベル原反Ｈを駆動ローラ２−２に挟み込むニップローラ２−１から構成されており、同様に巻き取りローラ部３も、図示しないモータによって駆動される駆動ローラ３−２と、ラベル原反Ｈを駆動ローラ３−２に挟み込むニップローラ３−１から構成され、帯状のラベル原反Ｈは、繰り出しローラ部２から巻き取りローラ部３までの範囲において、それらのローラ部２、３によって所定の張力が付与されるように調整される。
【００２３】
本実施形態のラベル印刷機１には、帯状のラベル原反Ｈの搬送方向Ｌ上流から下流に向かって順に、印刷ステージＳ１、ラミネートステージＳ２、ダイカットステージＳ３、カス上げステージＳ４が設けられている。
【００２４】
これらのステージＳ１〜Ｓ４の概略を説明すると、印刷ステージＳ１では、繰り出しローラ部２から帯状のラベル原反Ｈが繰り出され、その帯状のラベル原反Ｈの上面に印刷を行う（図３（ｂ）参照）。この印刷の手段は、凸版印刷機、フレキソ印刷機、オフセット印刷機等の印刷機、または、インクジェットプリンタ、サーマルプリンタ、レーザプリンタ等の周知のプリンタを使用することができる。
【００２５】
ラミネートステージＳ２において、帯状のラミネートフイルム原反Ｉは、ラミネートフイルム基材Ｊと粘着剤層１７によって構成されたラミネートフイルム８と、前記粘着剤層１７側に剥離フイルム１８が仮着された状態（図３参照）でロール状に巻き取られ、ラミネートフイルム原反ロール１９としてローラＲにセットされる（図１参照）。そして、このラミネートステージＳ２においては、印刷ステージＳ１から繰り出された印刷後の帯状のラベル原反Ｈの印刷面に、前記ラミネートフイルム８を貼り合わせる（図３（ｃ）（ｄ）参照）。
【００２６】
ダイカットステージＳ３では、平圧ダイカット装置９によって、ラミネートステージＳ２で帯状のラベル原反Ｈと帯状のラミネートフイルム８が貼り合わせられた貼り合わせ品に、ハーフカットを施す（図３（ｅ）参照）。すなわち、ダイカットステージＳ３では、図示しないカッター刃によって、ラミネートフイルム８側から、剥離紙６に達するまで所定形状の切り込みを施し、最終的なラベル製品の輪郭Ｃ（図２参照）を形成する。
【００２７】
本実施形態では、上記輪郭Ｃすなわちダイカットラインより内側の領域が最終的なラベル製品１０となり（図３（ｇ）参照）、それ以外のラミネートフイルム８が貼り合わせられたラベル基材４と粘着剤層５は、カス部１１として次のカス上げステージＳ４で除去される（図３（ｆ）参照）。そして、上記ラベル製品１０は、剥離紙６に仮着された状態のまま、巻き取りローラ部３を経由して最終的に製品巻き取りロール１２に巻き取られる。
【００２８】
上記ラミネートステージＳ２を詳細に説明すると、本実施形態のラミネートステージＳ２にはラミネート装置１４が設けられている。ラミネート装置１４は、その基本構造として、印刷後の帯状のラベル原反Ｈと帯状のラミネートフイルム８とを、ラミネートローラ１５と圧胴ローラ１６との間に挟み込んで貼り合わせる構成を採用している。このラミネートローラ１５と圧胴ローラ１６は、その外周面どうしがラベル原反Ｈとラミネートフイルム８を介して互いに対向するように配置されるとともに、それぞれの軸芯１５−１、１６−１を中心に回転可能に設けられている。ラベル原反Ｈとラミネートフイルム８との貼り合わせの際は、圧胴ローラ１６側にラベル原反Ｈが接し、ラミネートローラ１５側にラミネートフイルム６−１が接する。圧胴ローラ１６は、図示しないモータにより回転駆動されるが、ラミネートローラ１５は、動力による回転駆動のないフリーのローラとして構成される。
【００２９】
上記ローラＲにセットされたラミネートフイルム原反Ｉは、図示しないモータによって駆動されるラミネートフイルム繰り出しローラ２２−１、ニップローラ２２−２によってラミネートフイルム原反ロール１９から繰り出され、その繰り出し方向下流側に設けられた張力付与アーム２０の先端のダンサローラ２３と、ローラ２４に掛け回され、上下一対の剥離ローラ２５−１、２５−２間を通ってラミネートローラ１５と圧胴ローラ１６との間へ供給される。そのとき、ラミネートフイルム８に仮着されていた剥離フイルム１８は、剥離ローラ２５−１を境に上方へ剥がされ、剥離紙巻き取りロール２６に巻き取られる。
【００３０】
前記帯状のラミネートフイルム８は、張力付与アーム２０に取り付けられたバネ２１によって所定の張力が付与される構造となっており、ラベル原反Ｈにも前記繰り出しローラ部２、巻き取りローラ部３によってそれと同等の張力が付与される。
【００３１】
また、本実施形態のラミネート装置１４には反り制御手段２７が設けられている。反り制御手段２７は、ラミネートローラ１５と圧胴ローラ１６のそれぞれの軸芯１５−１、１６−１の位置をラベル原反の搬送方向に相対的にずらすことにより、ラベル原反Ｈとラミネートフイルム８の貼り合わせ品から得られるラベル製品１０の反りの方向を制御する手段である。
【００３２】
上記のように、ラミネートローラ１５と圧胴ローラ１６のそれぞれの軸芯１５−１、１６−１（以下、ラミネートローラ１５の軸芯１５−１を「ラミネートローラ軸芯１５−１」といい、圧胴ローラ１６の軸芯１６−１を「圧胴ローラ軸芯１６−１」という）の位置を相対的にずらす構造として、本実施形態の反り制御手段２７においては、圧胴ローラ軸芯１６−１の位置を固定（基準）とし、かつ、第１及び第２のアーム２８、２９を用いてラミネートローラ軸芯１５−１の位置を圧胴ローラ１６の外周に沿ってずらす構造を採用している。この構造において、圧胴ローラ軸芯１６−１は、ラベル原反Ｈの側方に設けられた支持板３０に取り付けられ、その位置が固定されている。第１のアーム２８は、圧胴ローラ軸芯１６−１に対してラベル原反Ｈの搬送方向上流側に配置されるとともに、上記支持板３０に第１のボルト２８−１で取り付けられ、第２のアーム２９は、第１のアーム２８の第１のボルト２８−１の他端側に第２のボルト２９−１で取り付けられる。そして、この第２のアーム２９の第２のボルト２９−１の他端側にラミネートローラ軸芯１５−１を取り付けた構造を採用している。従って、第１及び第２のボルト２８−１、２９−１を緩めることによって、圧胴ローラ軸芯１６−１を基準にラミネートローラ軸芯１５−１を圧胴ローラ１６の外周方向に所定量ずらすことができる。
【００３３】
図４（ｂ）に示したように、ラミネートローラ軸芯１５−１と圧胴ローラ軸芯１６−１とを結ぶ線分Ｍが、圧胴ローラ軸芯１６−１を基準としてラベル原反Ｈの搬送方向Ｌ上流側に傾くように、ラミネートローラ軸芯１５−１を圧胴ローラ１６の外周に沿ってずらすことによって、最終的なラベル製品１０の反りは、いずれのラベル製品１０でも、常時、図５のように内反りとなる。これとは逆の方向すなわち図４（ｃ）に示したように、前記線分Ｍが圧胴ローラ軸芯１６−１を基準としてラベル原反Ｈの搬送方向Ｌ下流側に傾くように、ラミネートローラ軸芯１５−１を圧胴ローラ１６の外周に沿ってずらすことによって、最終的なラベル製品１０の反りは、いずれのラベル製品１０でも、常時、図６のように外反りとなる。
【００３４】
従って、図５のような内反りのラベル製品１０を得たい場合には、意図的に図４（ｂ）のようにラミネートローラ軸芯１５−１と圧胴ローラ軸芯１６−１の位置を相対的にずらせばよく、また、図６のような外反りのラベル製品１０を得たい場合には、意図的に図４（ｃ）のようにラミネートローラ軸芯１５−１と圧胴ローラ軸芯１６−１の位置を相対的にずらせばよい。
【００３５】
ラミネートローラ軸芯１５−１と圧胴ローラ軸芯１６−１の位置を図４（ｂ）のように相対的にずらした場合と、図４（ｃ）のように相対的にずらした場合とでは、ラベル製品１０の反りの方向性が異なる。このような現象が生じるのは、各軸芯１５−１、１６−１の相対的な位置ずれの方向に応じて、帯状のラベル原反Ｈと帯状のラミネートフイルム８の貼り合わせ点Ｐが異なることが一つの要因と考えられる。それ以外の他の要因としては、ラミネートローラ１５と圧胴ローラ１６との間からラベル原反Ｈとラミネートフイルム８の貼り合わせ品が出てくるときの、出口直前のローラ形状が最終製品としてのラベル製品１０に転写されるとも考えられる。すなわち、図４（ｂ）に示すように各軸芯１５−１、１６−１の位置を相対的にずらした場合は、圧胴ローラ１６の上部外周円弧面が出口直前のローラ形状となる。このローラ形状はラベル製品１０の内反りと同じ方向に湾曲しており、この湾曲形状がラベル製品１０に転写されることから、ラベル製品１０の反りはいずれも内反りになるものと考えられる。一方、図４（ｃ）に示すように各軸芯１５−１、１６−１の位置を相対的にずらした場合は、ラミネートローラ１５の下部外周円弧面が出口直前のローラ形状となる。このローラ形状はラベル製品１０の外反りと同じ方向に湾曲しており、この湾曲形状がラベル製品１０に転写されることから、ラベル製品１０の反りはいずれも外反りになるとものと考えられる。
【００３６】
実験結果によると、ラベル製品１０に内反り、外反りを積極的に形成するために必要なラミネートローラ軸芯１５−１と圧胴ローラ軸芯１６−１の相対的な位置ずれ量は、ラベル原反Ｈの搬送方向に対して最小で１ｍｍ〜３ｍｍ程度あれば足りる。また、そのずれ量は、最大で“ラミネートローラの半径＋圧胴ローラの半径”とする。
【００３７】
上記実施形態では、圧胴ローラ１６をモータ（図示省略）で回転駆動し、ラミネートローラ１５をフリーのローラとしたが、圧胴ローラ１６とラミネートローラ１５の双方を回転駆動のローラとしてもよい。
【００３８】
本実施形態では、例えば、図４のようにラミネートローラ軸芯１５−１と圧胴ローラ軸芯１６−１の位置が相対的にずれた状態で、ラミネートローラ１５と圧胴ローラ１６が接触している例を説明したが、ラミネートローラ１５と圧胴ローラ１６が非接触の状態であっても、それが接触している場合と同様に、ラベル製品１０の反りを内反りや外反りに制御することができる。
【図面の簡単な説明】
【００３９】
【図１】図１は、本発明のラミネート装置を適用したラベル印刷機の概要の説明図である。
【図２】図２は、図１のラベル印刷機に適用されているラミネート装置等の斜視図である。
【図３】図３は、図１のラベル印刷機の各ステージを通過するラベル原反、ラミネートフイルム、または、ラベル原反とラミネートフイルムの貼り合わせ品の状態を示した説明図であり、（ａ）は図１中の（ａ）部、（ｂ）は図１中の（ｂ）部、（ｃ）は図１中の（ｃ）部、（ｄ）は図１中の（ｄ）部、（ｅ）は図１中の（ｅ）部、（ｆ）は図１中の（ｆ）部、（ｇ）は図１中の（ｇ）部にそれぞれ対応する図である。
【図４】図４は、図１のラベル印刷機に適用されているラミネート装置の動作説明図であり、（ａ）は、ラミネートローラ軸芯と圧胴ローラ軸芯がずれていない従来のラミネート装置の説明図、（ｂ）は、ラミネートローラ軸芯と圧胴ローラ軸芯を結ぶ線分Ｍが搬送方向Ｌ上流側に傾くように、ラミネートローラ軸芯を圧胴ローラの外周方向にずらした状態の説明図、（ｃ）は、同線分Ｍが搬送方向Ｌ下流側に傾くように、ラミネートローラ軸芯を圧胴ローラの外周方向にずらした状態の説明図である。
【図５】図５は内反りのラベルの説明図である。
【図６】図６は外反りのラベルの説明図である。
【図７】図７は、機械貼りの一例の説明図であり、（ａ）は、内反りのラベルを機械貼りするときの状態の説明図、（ｂ）は、外反りのラベルを機械貼りするときの状態の説明図である。
【図８】図８は、手貼り作業の一例の説明図であり、（ａ）は、外反りのラベルを手貼りするときの状態の説明図、（ｂ）は、内反りのラベルを手貼りするときの状態の説明図である。
【符号の説明】
【００４０】
１  ラベル印刷機
８  ラミネートフイルム
９  平圧ダイカット装置
１０  ラベル製品
１４  ラミネート装置
１５  ラミネートローラ
１５−１  ラミネートローラの軸芯（ラミネートローラ回転軸）
１６  圧胴ローラ
１６−１  圧胴ローラの軸芯（圧胴ローラ回転軸）
２７  反り制御手段
Ｈ  ラベル原反
Ｉ  ラミネートフイルム原反
Ｌ  搬送方向
Ｍ  ラミネートローラ回転軸と圧胴ローラ回転軸を結ぶ線分
Ｐ  帯状のラベル原反と帯状のラミネートフイルムの貼り合わせ点
【図１】
2006213035.tif 000003
【図２】
2006213035.tif 000004
【図３】
2006213035.tif 000005
【図４】
2006213035.tif 000006
【図５】
2006213035.tif 000007
【図６】
2006213035.tif 000008
【図７】
2006213035.tif 000009
【図８】
2006213035.tif 000010